(57)【要約】【課題】ボールジョイント部分は全方位に摺動可能であることから、圧縮方向を水平にした場合、ピストンがシリンダ端面から過大に後退したとき、ピストンサイドクリアランスの影響で傾き線接触の状態になり、円滑な往復運動が出来なくなる。そのため、運転入力の上昇や、騒音の増大、異常磨耗の発生などの問題を発生していた。【解決手段】クランクシャフトのバランスウエイトが干渉するシリンダの上側の端面を短く、シリンダの下側の端面はロッドの大端部の外径が干渉しない長さを備え、ピストンの支承面を長くする。その結果、ピストンの下死点における傾きは解消し、線接触がなくなる。【選択図】  図１
2005054576.tif 000002
【特許請求の範囲】
【請求項１】
密閉容器内に圧縮機構部を上部、電動機を下部に配置し、ピストンとコンロッドの連結部にボールジョイントを使用する圧縮機で、フレームの上部に設けたシリンダの高さと、クランクシャフトの偏心部上部に形成したバランスウエイトの高さを同一位置に設置し、ピストンが往復運動するシリンダの長さを、上側は前記バランスウエイトが干渉しない長さに、下側はコンロッドの大端部が干渉しない長さにしたことを特徴とする全密閉形ボールジョイント圧縮機。
【請求項２】
ピストンとコンロッドの連結部にボールジョイントを使用する圧縮機において、シリンダの高さとクランクシャフトのバランスウエイトの高さを同一位置に設置し、ピストンが往復運動するシリンダ下死点側端面の長さを、上側は前記バランスウエイトが干渉しない長さに、下側はコンロッドの大端部が干渉しない長さにして、夫々の端面を直線で結び傾斜形状としたことを特徴とする請求項１記載の密閉形ボールジョイント圧縮機。
【請求項３】
ピストンとコンロッドの連結部にボールジョイントを使用する圧縮機において、シリンダの高さとクランクシャフトのバランスウエイトの高さを同一位置に設置し、ピストンが往復運動するシリンダ下死点側端面の長さを、上側は前記バランスウエイトが干渉しない長さにし、下側はコンロッドの大端部が干渉しない長さとし、夫々の端面からシリンダボアに、略垂直に交叉する壁を形成し、その壁をシリンダボアの範囲内で段付形状で連繋したことを特徴とする請求項１記載の密閉形ボールジョイント圧縮機。
【請求項４】
ピストンとコンロッドの連結部にボールジョイントを使用する圧縮機において、シリンダの高さとクランクシャフトのバランスウエイトの高さを同一位置に設置し、ピストンが往復運動するシリンダの長さ全体を、コンロッドの大端部が干渉しない長さにし、シリンダ上面にはシリンダ上端面とシリンダボア間に適宜肉厚部を有した状態で、バランスウエイトが回転する範囲に切欠き形状を設けたことを特徴とする請求項１記載の密閉形ボールジョイント圧縮機。
【発明の詳細な説明】
【０００１】
【発明の属する技術分野】
本発明は電気冷蔵庫などに用いられるボールジョイント圧縮機の運転性能の向上に関する。
【０００２】
【従来の技術】
従来の全密閉形ボールジョイント圧縮機の一例を図４に示す。
【０００３】
ここで、２１は密閉容器、２２は圧縮機本体、２３は圧縮機構部、２４は電動機、２５はフレーム、２６はクランクシャフト、２７はピストン、２８はロッド、２９はボールジョイントである。
【０００４】
即ち、密閉容器２１内に圧縮機本体２２は圧縮機構部２３を上に、電動機２４を下側に配置している。圧縮機構部２３は、フレーム２５を中核に、そのベアリング２５ａに軸支するクランクシャフト２６の偏心部２６ａと、フレーム２５に一体に形成されたシリンダ２５ｂに挿入されたピストン２７間を、ロッド２８で連繋し構成される。
【０００５】
ピストン２７とロッド２８は、ボールジョイント２９によって各方向摺動自在に連繋されている。
【０００６】
クランクシャフト２６には、圧縮機の運転振動の原因となる、ピストン２７とロッド２８及びクランクシャフト２６の偏心部２６ａの、アンバランス重量に匹敵する重量のバランスウエイト２６ｂが、偏心部の上部に形成されている。
【０００７】
その高さは直接的に、密閉形圧縮機の大きさに関係することから、その上端面はシリンダ２５ｂの上端面とほぼ同位置となっており、シリンダ下死点側の端面形状は、図のようにバランスウエイト２６ｂの外径２６ｃと干渉しない程度のシリンダ長さで、上方からフレーム２５本体に略垂直に形成されている。
【０００８】
図５は、図４の従来公知ボールジョイント圧縮機の圧縮機構部２３を詳しく説明するものである。
【０００９】
即ち、以上述べた従来公知全密閉形ボールジョイント圧縮機では、前述のようにクランクシャフト２６のバランスウエイト２６ｂの外径２６ｃの大きさによって、シリンダ長さが決定し、シリンダ長さに比較し、ピストンストロークが過大であると、全方位的に摺動自在なボールジョイント圧縮機は、図５のようにピストンサイドクリアランスの影響でピストンが傾き、ピストン先端やシリンダ下死点で線接触状態となって、円滑なピストン２７の往復摺動ができなくなり、圧縮機運転入力の増加、こすれ異常音の発生、稀に局部線接触による異常磨耗などが発生する。
【００１０】
【特許文献】
なし
【００１１】
【発明が解決しようとする課題】
本発明は、以上述べた従来公知全密閉形ボールジョイント圧縮機の、運転上発生する電力増加、騒音、信頼性上の問題点解消を目的とする。
【００１２】
【課題を解決するための手段】
従来のボールジョイント圧縮機のピストンの傾きは、シリンダボアを長くするか、少なくとも下側を延長することにより抑えられ、良好な運転性能が得られる。
【００１３】
【発明の実施の形態】
図１から図３により本発明の実施例を説明する。尚、本発明の全密閉形ボールジョイント圧縮機の縦断面図は省略し、圧縮機構部の拡大図によって説明する。
【００１４】
ここで、１は密閉容器、２は圧縮機本体、３は圧縮機構部、４は電動機、５はフレーム、６はクランクシャフト、７はピストン、８はロッド、９はボールジョイントである。
【００１５】
即ち、密閉容器１内に圧縮機本体２は圧縮機構部３を上に、電動機４を下側に配置している。圧縮機構部３は、フレーム５を中核に、そのベアリング５ａに軸支するクランクシャフト６の偏心部６ａと、フレーム５に一体に形成されたシリンダ５ｂに挿入されたピストン７間を、ロッド８で連繋し構成される。
【００１６】
ピストン７とロッド８は、ボールジョイント９によって各方向摺動自在に連繋されている。
【００１７】
クランクシャフト６には、圧縮機の運転振動の原因となる、ピストン７とロッド８及びクランクシャフト６の偏心部６ａの、アンバランス重量に匹敵する重量のバランスウエイト６ｂが、偏心部の上部に形成されている。
【００１８】
その高さは直接的に、密閉形圧縮機の大きさに関係し、この種圧縮機は搭載するユニットからの小形化の要求が厳しいことから、バランスウエイト６ｂの上端面はシリンダ２５ｂの上端面とほぼ同位置となっている。
【００１９】
図１は、クランクシャフト６のバランスウエイト６ｂの外径６ｃと僅少な隙間で接近するシリンダ５ｂの上端面と、下側はピストン７が上死点に達したとき（図示せず）に、ロッド８の大端部８ａ外径とシリンダ端面が接触しない範囲を直線で結び、図のように、シリンダ５ｂの下死点側の端面を傾斜面に形成した場合の一例を示している。この場合、バランスウエイト６ｂの端面６ｃ形状は前記傾斜面に倣って傾斜した形状でも、従来と同様に垂直な形状の何れでも良い。
【００２０】
図２は、クランクシャフト６のバランスウエイト６ｂの外径６ｃと、僅少な隙間で接近するシリンダ５ｂの上側の端面５ｃと、ピストン７が上死点に達したとき（図示せず）の、ロッド８の大端部８ａ外径とシリンダ５が接触しない範囲に下側端面５ｄを略垂直に、夫々段付状に形成した場合の一例を示す。
【００２１】
図３は、シリンダ５ｂの全体の長さをロッド８の大端部８ａ外径とシリンダ５が接触しない範囲に形成し、図のようにシリンダボアと上端面間に適宜肉厚を持って切欠き部５ｅを形成し、クランクシャフト６のバランスウエイト６ｂの外径６ｃが回転できるようにした場合の一例を示す。
【００２２】
【発明の効果】
以上本発明によれば、ピストンが下死点に後退しても、シリンダボアの下側がピストンを支え、従来公知ボールジョイント圧縮機のように、ピストンサイドクリアランスに影響される傾きは発生せず、したがって、円滑な運転が可能となり、消費電力の低減、低騒音、高信頼性圧縮機が提供できる。
【図面の簡単な説明】
【図１】本発明に係わるボールジョイント圧縮機構部の一例を示す側断面図。
【図２】本発明に係わるボールジョイント圧縮機構部の一例を示す側断面図。
【図３】本発明に係わるボールジョイント圧縮機構部の一例を示す側断面図。
【図４】従来公知ボールジョイント圧縮機構部の一例を示す縦断面図。
【図５】図４圧縮機の圧縮機構部の一例を示す側断面図。
【符号の説明】
１…密閉容器、２…圧縮機本体、３…圧縮機構部、４…電動機、５…フレーム、５ａ…ベアリング、５ｂ…シリンダ、５ｃ…上側端面、５ｄ…下側端面、５ｅ…切欠き、６…クランクシャフト、６ａ…偏心部、６ｂ…バランスウエイト、６ｃ…バランスウエイト外径、７…ピストン、８…ロッド、８ａ…大端部、９…ボールジョイント。
【図１】
2005054576.tif 000003
【図２】
2005054576.tif 000004
【図３】
2005054576.tif 000005
【図４】
2005054576.tif 000006
【図５】
2005054576.tif 000007